(57)【要約】【課題】吸引される刈草がスムーズに固定刃の方に移動して破砕され、かつ、十分な排風力が得られる吸引式破砕機を提供することである。【解決手段】外周側の固定刃６との協動によって刈草を破砕する回転刃５の先端側を回転方向前方へ傾斜させ、柔らかくて長い刈草が回転刃５の基端側に引っ掛かっても、基端側の回転方向後方への傾斜で、引っ掛かった刈草を回転方向後方へ逃がして、回転刃５の基端側に堆積しないようにすることにより、刈草をスムーズに外周側の固定刃６の方に移動させて破砕でき、かつ、排風力も十分に得られるようにした。【選択図】  図２
2004195316.tif 000002
【特許請求の範囲】
【請求項１】
ケーシング内で回転する回転刃により生じる排風力で刈草をケーシング内に吸引し、前記回転刃と、その外周側に固定された固定刃との協動によって刈草を破砕する刈草の吸引式破砕機において、前記回転刃の先端側を回転方向前方へ傾斜させたことを特徴とする刈草の吸引式破砕機。
【請求項２】
前記回転刃の回転方向前方へ傾斜角θを、１５°〜４５°の範囲に設定した請求項１に記載の刈草の吸引式破砕機。
【請求項３】
前記回転刃の長さＬと回転刃の回転外径Ｄとの比Ｌ／Ｄを、０．０６〜０．２の範囲に設定した請求項１または２に記載の刈草の吸引式破砕機。
【発明の詳細な説明】
【０００１】
【発明の属する技術分野】
この発明は、刈草を破砕する吸引式破砕機に関するものである。
【０００２】
【従来の技術】
河川堤防等の除草作業で生じる大量の刈草は一旦野積みされ、手配されたトラック等に、そのまま、またはごみ袋等に入れて積み込まれ、ごみ焼却場等の廃棄物処理場に運ばれている。嵩張る刈草はトラック等への積卸しに手間がかかり、運送費用や廃棄処理費用も高くなるので、これらを野積み現場で処理し、かつ、有効活用することが望まれている。
【０００３】
このような要望に対応すべく、特開２００２−２４８３７２号公報には、可燃性である刈草を破砕機で破砕し、この破砕物を定量供給機から圧縮成形機に供給して圧縮成形し、この圧縮成形物を固形燃料用等に有効活用するための圧縮成形装置が記載されている。この圧縮成形装置は車載式とされ、野積みされた刈草を破砕機に投入して、その破砕物を空気搬送で定量供給機に送るようにしている。
【０００４】
この圧縮成形装置の破砕機は、キャスタを取り付けてあちこちに野積みされた刈草の位置に移動させるようにしているが、この破砕機を吸引式のものとすれば、吸引ホースを接続して、破砕機を移動させることなく、かつ、手作業による投入の手間もなくして、より効率よく野積みされた刈草を破砕することができる。
【０００５】
吸引式破砕機は、例えば、特開平１１−２９０８３４号公報や特開２０００−３３４３２５号公報に記載されたもののように、ケーシング内で回転する回転刃により生じる排風力で、被破砕物を軸方向から回転中心部に吸引し、回転刃の外周側に固定された固定刃との協動で被破砕物を破砕するものであり、その排風力で破砕物を空気搬送することもできる。
【０００６】
前者は、空き缶を吸引して破砕するものであり、その回転刃は回転軸に放射状、すなわち、回転方向と直角に取り付けられた回転羽根の先端に設けられている。この吸引式破砕機を刈草の破砕に用いると、刈草は柔らかくて２００〜３００ｍｍ程度の長さがあるので、図５（ａ）に示すように、回転刃５１の排風力により外周側への力を受ける刈草Ａが回転刃５１の基端側に引っ掛かりやすい。このため、引っ掛かった刈草Ａが堆積して、スムーズに外周側の固定刃５２の方に移動せず、良好に刈草Ａを破砕することができない。
【０００７】
また、後者は、籾殻を吸引して破砕するものであり、図５（ｂ）に示すように、回転刃５１の長さＬが短く、回転方向前面の面積を大きくするために、その断面が前面側で先端側が回転方向前方へ傾斜する台形状に形成されている。このため、この吸引式破砕機を刈草Ａの破砕に用いると、柔らかくて長い刈草Ａが回転刃５１に跨がって引っ掛かりやすく、やはり良好に刈草Ａを破砕することができない。また、この破砕機は、回転刃５１の長さＬが短いので、十分な排風力が得られない問題もある。
【０００８】
【発明が解決しようとする課題】
そこで、この発明の課題は、吸引される刈草がスムーズに固定刃の方に移動して破砕され、かつ、十分な排風力が得られる吸引式破砕機を提供することである。
【０００９】
【課題を解決するための手段】
上記の課題を解決するために、この発明は、ケーシング内で回転する回転刃により生じる排風力で刈草をケーシング内に吸引し、前記回転刃と、その外周側に固定された固定刃との協動によって刈草を破砕する刈草の吸引式破砕機において、前記回転刃の先端側を回転方向前方へ傾斜させた構成を採用した。
【００１０】
すなわち、回転刃の先端側を回転方向前方へ傾斜させることにより、柔らかくて長い刈草が回転刃の基端側に引っ掛かっても、基端側の回転方向後方への傾斜で、引っ掛かった刈草が回転方向後方へ逃げて、回転刃の基端側に堆積しないようにし、刈草をスムーズに外周側の固定刃の方に移動させて破砕できるようにした。
【００１１】
前記回転刃の回転方向前方へ傾斜角θは、１５°〜４５°の範囲に設定するのが望ましい。傾斜角θが１５°未満では、引っ掛かった刈草が回転方向後方へ逃げ難く、傾斜角θが４５°を超えると、回転刃前面の空気が後方へ流れやすくなって、十分な排風力が得られないからである。
【００１２】
前記回転刃の長さＬと回転刃の回転外径Ｄとの比Ｌ／Ｄは、０．０６〜０．２の範囲に設定するのが望ましい。比Ｌ／Ｄが０．０６未満では、刈草が跨がって引っ掛かりやすくなるとともに、十分な排風力が得られず、比Ｌ／Ｄが０．２を超えると、ケーシングの回転中心部に設けられる吸引口が狭く制約され、吸引される刈草が詰まりやすくなるからである。
【００１３】
【発明の実施の形態】
以下、図１乃至図４に基づき、この発明の実施形態を説明する。図１および図２に示すように、この刈草の吸引式破砕機１は、ケーシング２内でモータ３により回転駆動される回転円板４に、９０°の位相で４枚の回転刃５が取り付けられ、その外周側で固定刃６がケーシング２に固定されており、回転円板４の回転中心部の前面側でケーシング２に吸引口７が設けられ、ケーシング２の上部に排風口８が設けられている。吸引口７から吸引される刈草は、回転刃５と固定刃６の協動で破砕され、排風口８から排出される。
【００１４】
図２中に矢印で示すように、前記回転円板４は時計回りに回転駆動され、各回転刃５は、その先端側が回転方向前方へ３０°の傾斜角θで傾斜するように、回転円板４に取り付けられている。また、各回転刃５の長さＬは６０ｍｍ、回転円板４の直径Ｄは４５０ｍｍとされており、これらの比Ｌ／Ｄは約０．１３である。
【００１５】
図３に示すように、回転円板４の回転中心部に設けられた吸引口７から吸引される刈草Ａは、回転刃５の排風力により外周側への力を受けるが、回転刃５の基端側に引っ掛かっても、この基端側が回転方向後方へ傾斜しているので、引っ掛かった刈草Ａが後方へ逃げ、回転刃５の基端側に刈草Ａが堆積することはない。したがって、刈草Ａはスムーズに外周側の固定刃６の方に移動して破砕される。
【００１６】
図４は、上述した吸引式破砕機１を、定量供給機９と圧縮成形機１０を車載した車両１１に搭載した状態を示す。破砕機１の吸引口７には、野積みされた刈草Ａを吸引する吸引ホース１２が接続され、排風口８には、破砕された刈草Ａを定量供給機９のホッパ１３に空気搬送するダクト１４が接続されている。車両１１には、圧縮成形機１０に供給される破砕された刈草Ａを加湿するための水タンク１５とポンプ１６、圧縮成形機１０で圧縮成形された圧縮成形物を搬送するコンベア１７、および発電機、制御盤等の付帯設備１８も搭載されている。
【００１７】
したがって、この車両１１を刈草Ａの野積み現場へ運転すれば、あちこちに野積みされた刈草Ａをそのまま吸引ホース１２で破砕機１に吸引し、破砕機１で破砕した刈草Ａをダクト１４で定量供給機９に空気搬送して、定量供給機９から圧縮成形機１０に供給することにより、嵩張る刈草Ａを搬送することなく、野積み現場で刈草Ａの圧縮成形物を得ることができる。
【００１８】
【発明の効果】
以上のように、この発明の刈草の吸引式破砕機は、外周側の固定刃との協動によって刈草を破砕する回転刃の先端側を回転方向前方へ傾斜させ、柔らかくて長い刈草が回転刃の基端側に引っ掛かっても、基端側の回転方向後方への傾斜で、引っ掛かった刈草が回転方向後方へ逃げて、回転刃の基端側に堆積しないようにしたので、刈草をスムーズに外周側の固定刃の方に移動させて破砕することができ、かつ、排風力も十分に確保することができる。
【図面の簡単な説明】
【図１】実施形態の刈草の吸引式破砕機を一部切欠き正面図
【図２】図１のII−II線に沿った断面図
【図３】図２の回転刃の作用を説明する模式図
【図４】図１の吸引式破砕機を車両に搭載した状態を示す正面図
【図５】ａ、ｂは、それぞれ従来の吸引式破砕機の作用を説明する模式図
【符号の説明】
１  破砕機
２  ケーシング
３  モータ
４  回転円板
５  回転刃
６  固定刃
７  吸引口
８  排風口
９  定量供給機
１０  圧縮成形機
１１  車両
１２  吸引ホース
１３  ホッパ
１４  ダクト
１５  水タンク
１６  ポンプ
１７  コンベア
１８  付帯設備
【図１】
2004195316.tif 000003
【図２】
2004195316.tif 000004
【図３】
2004195316.tif 000005
【図４】
2004195316.tif 000006
【図５】
2004195316.tif 000007